(57)【特許請求の範囲】
【請求項１】
収納空間を介して一体化された上側部材及び下側部材と、前記下側部材に配置されたプッシュ型スイッチと、前記上側部材の周方向に所定の間隔を置いて設けられた固定接点群とこれらの固定接点群に対向する可動接点板とで構成される傾倒型スイッチと、前記可動接点板を取り付けた可動部材と、前記収納空間にプッシュ動作と傾倒動作可能に保持され、前記可動部材の貫通孔を通って外方に突出する操作軸と、前記可動接点板を前記固定接点群側に付勢するバネ部材とを備え、前記上側部材と前記可動接点板との間に間隔を持たせ、且つ、前記傾倒型スイッチを通常時にＯＦＦ状態にするスペーサ部材を設け、前記操作軸を軸方向にプッシュ動作した時、前記プッシュ型スイッチがＯＮ状態になると共に、前記操作軸を傾倒動作した時、前記傾倒型スイッチと前記プッシュ型スイッチとをＯＮ状態にするようにしたことを特徴とする多方向入力装置。
【請求項２】
前記スペーサ部材は、前記可動部材と一体に設けられたことを特徴とする請求項１記載の多方向入力装置。
【請求項３】
前記スペーサ部材は、前記上側部材と一体に設けられたことを特徴とする請求項１記載の多方向入力装置。
【請求項４】
前記スペーサ部材は、リング状の絶縁板で形成されたことを特徴とする請求項１記載の多方向入力装置。
【請求項５】
前記スペーサ部材は、前記上側部材と前記可動接点板とが軸方向で対向する間の前記操作軸側の位置に形成したことを特徴とする請求項１、又は２、又は３、又は４記載の多方向入力装置。
【請求項６】
前記可動接点板は、所定の間を持って放射状に伸びる突部を有し、該突部と前記可動接点板の中心部とを結ぶ線上において、前記スペーサ部材に設けた凸部を配置したことを特徴とする請求項５記載の多方向入力装置。
【発明の詳細な説明】
【０００１】
【発明の属する技術分野】
本発明は、操作軸をプッシュ動作、並びに傾倒動作に応じてスイッチを操作することが出来る多方向入力装置に関する。
【０００２】
【従来の技術】
従来の多方向入力装置を図１７〜図１９に基づいて説明すると、ハウジング１の内底面には、固定接点２とコモン接点３とが配設され、ハウジング１内に配置された可動接点板４とでプッシュ型スイッチＳ１が形成されている。
また、可動接点４の上部には、片持ち状の押圧部５ａを有するガイド部５が設けられ、この押圧部５ａの上にゴム弾性体６が取り付けられて、操作軸１４によって、ゴム弾性体６を介して押圧部５ａが操作されるようになっている。
【０００３】
また、ハウジング１の開口端は、下面に複数個の固定接点１０が埋設された蓋体７で覆われ、この蓋体７の上には、連結部材９が被せられて、ハウジング１に蓋体７が取り付けられている。
また、ハウジング１内には、金属板からなる可動接点板１１が配置され、これとハウジング１の内底面との間には、コイルバネ１２が介在され、コイルバネ１２によって、通常時、可動接点板１１を固定接点１０に弾接させ、そして、コイルバネ１２は、可動接点板１１とコモン接点３間を電気的に接続し、固定接点１０群と可動接点板１１とで８個の傾倒型スイッチＳ２が形成されている。
【０００４】
また、可動接点板１１は、可動部材１３に埋設され、この可動部材１３は、蓋体７の貫通孔７ａに傾倒可能に嵌合している。
また、プッシュ動作と傾倒動作の可能な操作軸１４は、その上部が可動部材１３の貫通孔１３ａを通って外方に突出し、また、下部は、可動部材１３に係合状態にあると共に、ゴム弾性体６に当接した状態となっている。
【０００５】
次に、従来の多方向入力装置の動作を説明すると、操作軸１４が図１７に示す中立位置にある場合、プッシュ型スイッチＳ１は、可動接点板４が固定接点２から離れているため、接点がＯＦＦの状態にあると共に、傾倒型スイッチＳ２は、可動接点板１１が固定接点１０群の全てに接触しているため、全ての接点がＯＮお状態となっている。
この中立位置から操作軸１４を任意方向、例えば図１８に示す方向へ傾倒動作すると、可動接点板１１は、傾倒方向の反対側に位置する固定接点１０を支点として回動し、それ以外の固定接点１０から離れるため、支点となる固定接点１０に対応する傾倒型スイッチＳ２はＯＮ状態を維持し、他の傾倒型スイッチＳ２はＯＦＦ状態となる。
【０００６】
また、操作軸１４の傾倒動作に伴い操作軸１４の下端がゴム弾性体６と押圧部５ａを介して可動接点板４を押圧するため、可動接点板４が固定接点２に接触し、プッシュ型スイッチＳ１がＯＦＦからＯＮへと切り換わる。
そして、操作軸１４の傾倒動作を解除すると、可動接点板１１はコイルバネ１２の付勢力により元の状態に復帰するため、操作軸１４は図１７の中立位置に戻り、８個の傾倒型スイッチＳ２は全て再びＯＮとなる。
また、ゴム弾性体６と押圧部５ａ及び可動接点板４は、それ自体の弾性により復帰し、可動接点板４が固定接点２から離れるため、プッシュ型スイッチＳ１も再びＯＦＦとなる。
また、操作軸１４を図１８とは別の方向に傾倒動作した場合も同様である。
【０００７】
次に、図１７の中立位置から操作軸１４を軸方向にプッシュ動作すると、図１９に示すように、操作軸１４は可動部材１３の貫通孔１３ａに案内されて真下へ移動し、ゴム弾性体６と押圧部５ａを介して可動接点板４を押圧する。
この場合、可動接点板１１と可動部材１３は移動されないため、傾倒型スイッチＳ２は、操作されず、可動接点板４が固定接点２に接触した時点で、プッシュ型スイッチＳ１がＯＦＦからＯＮへと切り換わる。
そして、操作軸１４のプッシュ動作を解除すると、ゴム弾性体６と押圧部５ａ及び可動接点板４は、それ自体の弾性により復帰し、可動接点板４が固定接点２から離れるため、プッシュ型スイッチＳ１も再びＯＦＦとなる。
【０００８】
このように構成された多方向入力装置において、例えば、固定接点２と固定接点１０群をマイコンに接続すれば、固定接点２と１０間のＯＮ／ＯＦＦ信号に基づいて、マイコンが操作軸１４の傾倒動作方向と操作軸１４のプッシュ動作を検出することが出来るものである。
【０００９】
【発明が解決しようとする課題】
従来の多方向入力装置は、傾倒型スイッチＳ２が通常時、ＯＮ状態となるように構成されており、操作軸１４のプッシュ動作時において、操作軸１４を軸方向に真っ直ぐに押圧することが難しく、操作時に、若干斜め方向からプッシュ動作することが往々にして生じるが、この時、傾倒型スイッチＳ２が操作されて、誤操作を起こすという問題がある。
【００１０】
【課題を解決するための手段】
上記課題を解決するための第１の解決手段として、収納空間を介して一体化された上側部材及び下側部材と、前記下側部材に配置されたプッシュ型スイッチと、前記上側部材の周方向に所定の間隔を置いて設けられた固定接点群とこれらの固定接点群に対向する可動接点板とで構成される傾倒型スイッチと、前記可動接点板を取り付けた可動部材と、前記収納空間にプッシュ動作と傾倒動作可能に保持され、前記可動部材の貫通孔を通って外方に突出する操作軸と、前記可動接点板を前記固定接点群側に付勢するバネ部材とを備え、前記上側部材と前記可動接点板との間に間隔を持たせ、且つ、前記傾倒型スイッチを通常時にＯＦＦ状態にするスペーサ部材を設け、前記操作軸を軸方向にプッシュ動作した時、前記プッシュ型スイッチがＯＮ状態になると共に、前記操作軸を傾倒動作した時、前記傾倒型スイッチと前記プッシュ型スイッチとをＯＮ状態にするようにした構成とした。
【００１１】
また、第２の解決手段として、前記スペーサ部材は、前記可動部材と一体に設けられた構成とした。
また、第３の解決手段として、前記スペーサ部材は、前記上側部材と一体に設けられた構成とした。
また、第４の解決手段として、前記スペーサ部材は、リング状の絶縁板で形成された構成とした。
また、第５の解決手段として、前記スペーサ部材は、前記上側部材と前記可動接点板とが軸方向で対向する間の前記操作軸側の位置に形成した構成とした。
また、第６の解決手段として、前記可動接点板は、所定の間を持って放射状に伸びる突部を有し、該突部と前記可動接点板の中心部とを結ぶ線上において、前記スペーサ部材に設けた凸部を配置した構成とした。
【００１２】
【発明の実施の形態】
本発明の多方向入力装置を図１〜図１４に基づいて説明すると、図１〜図１４は何れも本発明の多方向入力装置の第１の実施例に係り、図１は平面図、図２は正面図、図３は非操作状態を示す断面図、図４は傾倒動作を示す断面図、図５はプッシュ動作を示す断面図、図６はハウジングの平面図、図７は可動接点板の平面図、図８は蓋体の下面図、図９は押圧部材の平面図、図１０は押圧部材の断面図、図１１は押圧部材の下面図、図１２はゴム弾性体の平面図、図１３はゴム弾性体の断面図、図１４はゴム弾性体の下面図である。
【００１３】
次に、本発明の多方向入力装置の第１の実施例を図１〜図１４に基づいて説明すると、合成樹脂からなるハウジング２１は、上面を開口した平面形状がほぼ八角形をしており、図６に示すように、下側部材を構成するハウジング２１の内底面には、中央に位置する下側の固定接点２２と周辺部に位置する２つのコモン接点２３が配設され、下側の固定接点２２と各コモン接点２３はそれぞれ固定端子２２ａ、コモン端子２３ａとしてハウジング２１の外部に突出している。
図６中の斜線と破線は、下側の固定接点２２と固定端子２２ａ並びにコモン接点２３とコモン端子２３ａとの接続を示している。
【００１４】
また、ハウジング２１の内底面には、円弧状の突起２１ａが設けられ、固定接点２２を中心とする同一の円弧上に配列されている。
図６に示すように、ハウジング２１の各辺の外側壁には、ガイド孔２１ｂが形成され、ハウジング２１の内側壁の開口端側に９０度の間隔で４つの切り欠き部２１ｃが形成されている。
また、ハウジング２１の内底面には、ドーム状の可動接点板２４が設けられ、突起２１ａで位置規制されている。
可動接点板２４は、コモン接点２３と常時接触し、固定接点２２から離れ、固定接点２２と可動接点板２４によりプッシュ型スイッチＳ１が構成されている。また、突起２１ａの内側には、押圧部材２５とゴム弾性体２６の複合体が位置決めされ、可動接点板２４の上面中央部と対向している。
【００１５】
押圧部材２５は、図９〜図１１に示すように、上面に浅い球面状の受け部２５ａと、下部に突出部２５ｂを有し、また、ゴム弾性体２６は、図１２〜図１４に示すように、突起２１ａに嵌合して位置決めされる外周部２６ａと、押圧部材２５の突出部２５ｂは挿入される貫通孔２６ｂを有しており、このゴム弾性体２６は、可動接点板２４上に載置されている。
また、ハウジング２１の開口端は、上側部材を構成する合成樹脂からなる蓋体２７で覆われ、ハウジング２１と蓋体２７で収納空間２８が形成されている。
蓋体２７の下面には、上側の固定接点３０が埋設され、複数個の取付脚を有する連結部材２９の上端部を蓋体２７の上に被せ、取付脚をハウジング２１の外側壁に沿って下方へ延ばし、下端部を内側へ折り曲げることにより、ハウジング２１と蓋体２７が連結される。
【００１６】
図８に示すように、蓋体２７の中央部には、貫通孔２７ａが形成され、それの周囲に上側の固定接点３０が周方向に９０度間隔で４個配設され、各固定接点３０のほぼ中央部には、下方へ若干突出した突部３０ｂが形成されている。
蓋体２７に固定接点３０を埋設する際に、固定接点３０の露出面が成形条件等がばらついて一部樹脂で覆われたとしても、樹脂部から固定接点部３０を突出させるために突部３０ｂが形成されると共に、固定接点３０は、それぞれ端子３０ａとして、下方へ延び、各端子３０ａはハウジング２１のガイド孔２１ｂ（図３参照）に挿通される。
【００１７】
また、収納空間２８の内部には、上側の可動接点板３１が配置されて、それとハウジング２１の内底面の間には、導電性のコイルバネからなるバネ部材３２が介在され、バネ部材３２は、ハウジング２１の周壁と突起２１ａの間で位置決めされている。
バネ部材３２の下端は、コモン接点２３とコモン端子２３ａとを接続している導電部２３ｂ（図６の円弧状の斜線部分）に接し、コモン接点２３と可動接点板３１は、バネ部材３２を介して常時導通している。
そして、可動接点板３１は、バネ部材３２の付勢力で蓋体２７に配置された固定接点３０側に付勢され、固定接点３０群と可動接点板３１で４個の傾倒型スイッチＳ２が構成されている。
【００１８】
また、可動接点板３１は、合成樹脂からなる可動部材３３に埋設され、可動部材３３の上部は、蓋体２７の貫通孔２７ａと嵌合している。
図７に示すように、可動接点板３１は、外周部に９０度の間隔を保って放射状に延びる突部３１ａと、各突部３１ａを結ぶ直線状に延びた４つの端縁３１ｂを有して菱形をしており、図中の斜線部分が金属で構成された導電部となっている。
また、各突部３１ａの上面は、先端に行くに従って若干薄くなるようにテーパーを有し、ハウジング２１の内壁面に形成された切り欠き部２１ｃに挿入され（図３参照）て周方向の回り止めがなされている。
このように各突部３１ａの上面にテーパーを設けることにより、可動接点板３１が傾いた時に、突部３１ａが邪魔にならず、可動接点板３１の直線状に延びた端部が蓋体２７の下面と線接触することになる。
従って、テーパーは、その部分が当接しないように逃げるために形成され、各突部３１ａは回り止めの機能のみを有している。
【００１９】
また、可動部材３３には、下部を小判形状とする貫通孔３３ａが設けられ、そこに金属製の操作軸３４の基端部が挿入されている。
そして、プッシュ動作と傾倒動作が可能な操作軸３４は、貫通孔３３ａに対して軸方向へ移動可能であるが、貫通孔３３ａの小判型部分とスプライン結合することにより、周方向への回転は規制されていると共に、操作軸３４の上部は、貫通孔３３ａを通って蓋体２７の外部へ突出し、下端は押圧部材２５の受け部２５ａに当接している。
また、可動部材３３には、図７に示すように、操作軸３４側の位置に４個の同型状の凸部からなるスペーサ部材３３ｂが一体に設けられ、このスペーサ部材３３ｂは、可動接点板３１の突部３１ａと可動接点板３１の中心部を結ぶ線上に形成されており、そして、可動部材３３は、バネ部材３２による可動接点板３１の付勢に伴って上方に付勢され、その結果、スペーサ部材３３ｂは、上側部材である蓋体２７と可動接点板３１間に介在して、蓋体２７と可動接点板３１との間に間隔を持たせて、可動接点板３１を固定接点３０から離して傾倒型スイッチＳ２を通常時、ＯＦＦ状態としている。
【００２０】
次に、本発明の多方向入力装置の動作について説明すると、操作軸３４が図３に示す中立位置にある場合、可動接点板２４が固定接点２２から離れているためプッシュ型スイッチＳ１はＯＦＦ、また、可動接点板３１が固定接点３０群の全ての離れているため４個の傾倒型スイッチＳ２はＯＦＦとなっている。
そして、つまみＺを介して操作軸３４を中立位置から任意方向、例えば、図４に示す方向に大きく傾倒動作を行うと、可動接点板３１は傾倒方向の反対側に位置するスペーサ部材３３ｂを支点として傾き、傾倒方向と反対側に位置する固定接点３０がＯＦＦ状態からＯＮ状態となり、その他の傾倒型スイッチＳ２はＯＦＦ状態を維持する。
【００２１】
また、操作軸３４の傾倒動作で、図４に示すように、操作軸３４の下端が押圧部材２５を介して可動接点板２４を押圧し、可動接点板２４が固定接点２２に接触した時点で、プッシュ型スイッチＳ１がＯＦＦからＯＮに切り換わる。
プッシュ型スイッチＳ１のＯＮ後も、可動接点板３１の突部３１ａが切り欠き部２１ｃの底部に当接するまで（図４に状態）、操作軸３４は更に傾倒動作を続けることが出来、その間のオーバーストローク分はゴム弾性体２６の圧縮変形で吸収される。
なお、スペーサ部材３３ｂは、操作軸３４側に設け、また、外周側に行くに従って多少高さを低くし、適切な寸法に設定しているから、該傾倒動作に妨げにならない。
【００２２】
また、操作軸３４に対する傾倒動作を解除すると、可動接点板３１はバネ部材３２の付勢力で元の状態に復帰するため、操作軸３４は図３の中立位置に戻り、４個の傾倒型スイッチＳ２は全て再びＯＦＦとなる。
また、ゴム弾性体２６及び可動接点板２４も弾性により復帰し、可動接点板２４が固定接点２２から離れ、プッシュ型スイッチＳ１も再びＯＦＦとなる。
更に、２個の固定接点３０間方向に操作軸３４を倒した時、２個のスペーサ部材３３ｂを支点として可動接点板３１が傾き、その後、２個の固定接点３０を支点として傾き、その結果、傾倒方向と反対方向の隣り合う２個の固定接点３０がＯＦＦからＯＮとなると共に、その他の動作は、前記と同様であり、斜め方向に傾倒されたことを検知する。
そして、スペーサ部材３３ｂに凸部を設けることにより、凸部間の方向、即ち、２個の固定接点３０間方向に傾倒動作を行う時において、２個の凸部を支点として傾倒動作を行うことが出来て、２個の凸部間方向の傾倒動作が確実で容易となり、その後の、２個の固定接点３０間方向の傾倒動作にスムースにつながり、多少、斜め方向がずれて傾倒したとしても、斜め方向に強制された状態で傾倒できる。
また、操作軸３４を図４と別方向へ傾倒した場合も同様である。
【００２３】
また、図３の中立位置から操作軸３４を、図５に示すように矢印Ａ１方向にプッシュ動作すると、操作軸３４は可動部材３３貫通孔３３ａに案内されて下方に移動し、押圧部材２５を介して可動接点板２４を押圧して、可動接点板２４が固定接点２２に接触した時点で、プッシュ型スイッチＳ１がＯＦＦからＯＮに切り換わる。
また、操作軸３４を押し込む際に垂直に押せば問題はないが、図５に示すように、操作時、往々にして若干傾斜した状態、即ち、矢印Ａ２方向に押されることがある。
この時、操作軸３４によって可動部材３３は若干傾くが、スペーサ部材３３ｂの存在によって、可動接点板３１は固定接点３０との接触に至らず、傾倒型スイッチＳ２はＯＦＦの状態を維持している。
従って、往々にして操作軸３４を若干傾いた状態で操作しても、傾倒型スイッチＳ２は切り換わることが無く、確実で安定した操作を行うことが出来る。
【００２４】
また、操作軸３４のプッシュ動作を解除すると、操作部材３４、可動部材３３、及び可動接点板３１はバネ部材３２により、図３に示す状態に復帰すると共に、ゴム弾性体２６と可動接点板２４は自己の弾性により復帰し、可動接点板２４が固定接点２２から離れ、プッシュ型スイッチＳ１は再びＯＦＦとなる。
【００２５】
このように構成された多方向入力装置において、例えば、固定接点２２の固定端子２２ａと固定接点３０群の端子３０ａをマイコンに接続すれば、固定端子２２ａと端子３０ａ間のＯＮ／ＯＦＦ信号に基づいて、マイコンが操作軸３４の傾倒動作方向と操作軸３４のプッシュ動作を検出することが出来るものである。
【００２６】
また、図１５は本発明の多方向入力装置の第２の実施例を示し、この実施例は、蓋体２７の操作軸３４側の位置に、凸部からなるスペーサ部材２７ｂが一体に設けられ、このスペーサ部材２７ｂは、可動接点板３１の突部３１ａと可動接点板３１の中心部を結ぶ線上に形成されており、そして、スペーサ部材２７ｂは、上側部材である蓋体２７と可動接点板３１間に介在して、蓋体２７と可動接点板３１との間に間隔を持たせて、可動接点板３１を固定接点３０から離して傾倒型スイッチＳ２を通常時、ＯＦＦ状態としたものである。
その他の構成は、上記実施例と同様であるので、同一部品に同一番号を付し、ここではその説明は省略する。
【００２７】
また、図１６は本発明の多方向入力装置の第３の実施例を示し、この実施例は、スペーサ部材３５をリング状の絶縁板で構成すると共に、このスペーサ部材３５には、可動接点板３１の突部３１ａと可動接点板３１の中心部を結ぶ線上の外周部に凸部を形成し、そして、スペーサ部材３５は、上側部材である蓋体２７と可動接点板３１間に介在して、蓋体２７と可動接点板３１との間に間隔を持たせて、可動接点板３１を固定接点３０から離して傾倒型スイッチＳ２を通常時、ＯＦＦ状態とすると共に、２個の固定接点３０間方向に操作軸３４を傾倒した時、凸部によって傾倒動作を確実にしたものである。
その他の構成は、上記実施例と同様であるので、同一部品に同一番号を付し、ここではその説明は省略する。
【００２８】
【発明の効果】
本発明の多方向入力装置は、スペーサ部材３３ｂを、上側部材である蓋体２７と可動接点板３１間に介在して、蓋体２７と可動接点板３１との間に間隔を持たせて、可動接点板３１を固定接点３０から離して傾倒型スイッチＳ２を通常時、ＯＦＦ状態としたため、操作軸３４の操作時、往々にして若干傾斜した状態で操作されても、スペーサ部材３３ｂの存在によって、可動接点板３１は固定接点３０との接触に至らず、傾倒型スイッチＳ２はＯＦＦの状態を維持し、確実で安定した操作を行うことが出来る多方向入力装置を提供できる。
また、スペーサ部材３３ｂを可動部材３３と一体に設けることにより、その構成が簡単で、生産性が良く、安価な多方向入力装置を提供できる。
【００２９】
また、スペーサ部材２７ｂを蓋体２７と一体に設けることにより、その構成が簡単で、生産性が良く、安価な多方向入力装置を提供できる。
また、スペーサ部材３５をリング状の絶縁板で形成したため、この板厚の異なるものを交換することにより、容易に、操作軸３４の傾斜の度合いの異なる傾倒型スイッチＳ２の切り換えできる多方向入力装置を提供できる。
また、スペーサ部材３３ｂは、上側部材である蓋体２７と可動接点板３１とが軸方向で対向する間の操作軸３４側に位置に形成したため、操作軸３４の傾倒動作が容易に出来る多方向入力装置を提供できる。
また、スペーサ部材３３ｂに凸部を設けることにより、凸部間の方向、即ち、２個の固定接点３０間方向に傾倒動作を行う時において、２個の凸部を支点として傾倒動作を行うことが出来て、２個の凸部間方向の傾倒動作が確実で容易となる多方向入力装置を提供できる。
【図面の簡単な説明】
【図１】本発明の多方向入力装置の第１の実施例に係る平面図。
【図２】本発明の多方向入力装置の第１の実施例に係る正面図。
【図３】本発明の多方向入力装置の第１の実施例に係り、非操作状態を示す断面図。
【図４】本発明の多方向入力装置の第１の実施例に係り、傾倒動作を示す断面図。
【図５】本発明の多方向入力装置の第１の実施例に係り、プッシュ動作を示す断面図。
【図６】本発明の多方向入力装置の第１の実施例に係るハウジングの平面図。
【図７】本発明の多方向入力装置の第１の実施例に係る可動接点板の平面図。
【図８】本発明の多方向入力装置の第１の実施例に係る蓋体の下面図。
【図９】本発明の多方向入力装置の第１の実施例に係る押圧部材の平面図。
【図１０】本発明の多方向入力装置の第１の実施例に係る押圧部材の断面図。
【図１１】本発明の多方向入力装置の第１の実施例に係る押圧部材の下面図。
【図１２】本発明の多方向入力装置の第１の実施例に係るゴム弾性体の平面図。
【図１３】本発明の多方向入力装置の第１の実施例に係るゴム弾性体の断面図。
【図１４】本発明の多方向入力装置の第１の実施例に係るゴム弾性体の下面図。
【図１５】本発明の多方向入力装置の第２の実施例に係る断面図。
【図１６】本発明の多方向入力装置の第３の実施例に係る断面図。
【図１７】従来の多方向入力装置の非操作状態を示す断面図。
【図１８】従来の多方向入力装置の傾倒動作を示す断面図。
【図１９】従来の多方向入力装置のプッシュ動作を示す断面図。
【符号の説明】
２１  ハウジング
２１ａ  突起
２１ｂ  ガイド孔
２１ｃ  切り欠き部
２２  固定接点
２２ａ  固定端子
２３  コモン接点
２３ａ  コモン端子
２３ｂ  導電部
２４  可動接点板
２５  押圧部材
２５ａ  受け面
２５ｂ  突出部
２６  ゴム弾性体
２６ａ  外周部
２７  蓋体
２７ａ  貫通孔
２７ｂ  スペーサ部材
２８  収納空間
２９  連結部材
３０  固定接点
３０ａ  端子
３０ｂ  突部
３１  可動接点板
３１ａ  突部
３１ｂ  端縁
３２  バネ部材
３３  可動部材
３３ａ  貫通孔
３３ｂ  スペーサ部材
３４  操作軸
３５  スペーサ部材
Ｚ  つまみ
Ｓ１  プッシュ型スイッチ
Ｓ２  傾倒型スイッチ
【図１】
0003737901.tif 000002
【図２】
0003737901.tif 000003
【図３】
0003737901.tif 000004
【図４】
0003737901.tif 000005
【図５】
0003737901.tif 000006
【図６】
0003737901.tif 000007
【図７】
0003737901.tif 000008
【図８】
0003737901.tif 000009
【図９】
0003737901.tif 000010
【図１０】
0003737901.tif 000011
【図１１】
0003737901.tif 000012
【図１２】
0003737901.tif 000013
【図１３】
0003737901.tif 000014
【図１４】
0003737901.tif 000015
【図１５】
0003737901.tif 000016
【図１６】
0003737901.tif 000017
【図１７】
0003737901.tif 000018
【図１８】
0003737901.tif 000019
【図１９】
0003737901.tif 000020